(57)【要約】【課題】高速シリアル通信伝送路を介して送信された表示データを表示する表示装置における伝送品質を自動的にチェックする伝送品質検証装置を提供する。【解決手段】  表示データを表示する表示装置における伝送品質検証装置が備える表示データ生成部１１が、テスト機能部１１１によって生成されたテストデータを、データバス２００−１、高速シリアル通信変換部１２、高速シリアル通信伝送路２０１、高速シリアル通信変換部１３、データバス２００−２を介してＬＣＤ部１４に伝送する。そして、ＬＣＤ部１４が、伝送されたテストデータと予め決められた規定パターンとを比較し、該比較結果に基づいて、上記表示装置における伝送品質を検証する。【選択図】図１
2009017261.tif 000002
【特許請求の範囲】
【請求項１】
生成されたパラレル信号である表示データを、シリアル信号に変換する第１の変換部と、該変換されて高速シリアル通信伝送路を介して伝送されたシリアル信号をパラレル信号に変換する第２の変換部と、第２の変換部で変換されたパラレル信号に基づき画像を表示する表示部とを備えた表示装置における、伝送品質を検証する装置であって、
上記高速シリアル通信伝送路を介して、表示データと、伝送品質を検証するためのテストデータとを送信するデータ送信手段と、
上記送信された表示データを受信して上記表示部に表示し、上記送信されたテストデータを受信して記憶手段に記憶するとともに、所定のタイミングで、上記テストデータと予め決められた規定パターンとの比較処理のトリガを出力するドライバ手段と、
上記ドライバ手段が出力したトリガを受けて、上記記憶手段からテストデータを読み出して、該読み出されたテストデータと上記予め決められた規定パターンとを比較し、該比較結果に基づいて、上記伝送品質を検証するテスト機能手段と、
上記伝送品質の検証結果を出力する出力手段とを備える
ことを特徴とする伝送品質検証装置。
【請求項２】
生成されたパラレル信号である表示データを、シリアル信号に変換する第１の変換部と、該変換されて高速シリアル通信伝送路を介して伝送されたシリアル信号をパラレル信号に変換する第２の変換部と、第２の変換部で変換されたパラレル信号に基づき画像を表示する表示部とを備えた表示装置における、伝送品質を検証する装置であって、
上記高速シリアル通信伝送路を介して、表示データと、伝送品質を検証するためのテストデータを送信するデータ送信手段と、
上記送信された表示データを受信して上記表示部に表示するドライバ手段と、
上記送信されたテストデータを受信して記憶するとともに、所定のタイミングで、上記テストデータと予め決められた規定パターンとを比較し、該比較結果に基づいて、上記伝送品質を検証するテスト機能手段と、
上記伝送品質の検証結果を出力する出力手段とを備える
ことを特徴とする伝送品質検証装置。
【請求項３】
上記データ送信手段が、上記表示データが上記表示部によって画像として表示されない期間である非表示期間に、上記テストデータを送信する
ことを特徴とする請求項２に記載の伝送品質検証装置。
【請求項４】
上記高速シリアル通信伝送路が、双方向の通信伝送路であり、
上記データ送信手段が、更に、上記高速シリアル通信伝送路を介して、上記非表示期間に、上記テスト機能手段に上記伝送品質の検証を開始させるためのテスト開始コマンド、上記テスト機能手段に上記伝送品質の検証を終了させるためのテスト終了コマンド、上記テスト機能手段に上記伝送品質の検証結果の送信を要求する検証結果送信要求コマンドを上記テスト機能手段に対して送信し、
上記テスト機能手段が、更に、上記データ送信手段から送信されたテスト開始コマンドに従って、上記伝送品質の検証を開始し、上記送信されたテスト終了コマンドに従って、上記伝送品質の検証を終了し、上記送信された検証結果送信要求コマンドに従って、上記伝送品質の検証が開始されてから終了されるまでの間の伝送品質の検証結果を上記高速シリアル通信伝送路を介して上記データ送信手段に送信する
ことを特徴とする請求項３に記載の伝送品質検証装置。
【請求項５】
上記データ送信手段が、更に、上記高速シリアル通信伝送路を介して、上記非表示期間に、上記テスト機能手段に上記伝送品質の検証を開始させるためのテスト開始コマンド、上記テスト機能手段に上記伝送品質の検証を終了させるためのテスト終了コマンドを上記テスト機能手段に対して送信し、
上記テスト機能手段が、更に、上記データ送信手段から送信されたテスト開始コマンドに従って、上記伝送品質の検証を開始し、上記送信されたテスト終了コマンドに従って、上記伝送品質の検証を終了し、該伝送品質の検証を終了した時に、該伝送品質の検証の終了を上記ドライバ手段に通知して、上記伝送品質の検証が開始されてから終了されるまでの間の伝送品質の検証結果を上記表示部に表示させる
ことを特徴とする請求項３に記載の伝送品質検証装置。
【発明の詳細な説明】
【技術分野】
【０００１】
本発明は、伝送品質検証装置に関し、特に、高速シリアル通信伝送路を介して送信された表示データを表示する表示装置における伝送品質検証装置に関する。
【背景技術】
【０００２】
携帯端末の小型化、薄型化およびデザイン設計の柔軟性向上に伴い、携帯端末におけるＬＣＤ(Liquid Crystal Display)表示のためのデータ伝送技術として、高速シリアル通信技術が採用され始めている。
【０００３】
図１８は、従来の高速シリアル通信を用いた表示データの表示装置を示す図である。
従来の高速シリアル通信を用いた表示データの表示装置は、表示データ生成部２１、高速シリアル通信変換部２２、２３、ＬＣＤ部２４を備える。表示データ生成部２１は、パラレル信号である表示データを生成し、該生成された表示データをデータバス１００−１を通じて高速シリアル通信変換部２２に伝送（パラレル通信）する。
高速シリアル通信変換部２２は、表示データ生成部２１から伝送された表示データをシリアル信号に変換し、該変換されたシリアル信号を高速シリアル通信伝送路１０１を通じて高速シリアル通信変換部２３に伝送（シリアル通信）する。高速シリアル通信変換部２３は、高速シリアル通信変換部２２から伝送されたシリアル信号をパラレル信号に変換し、該変換されたパラレル信号をデータバス１００−２を通じてＬＣＤ部２４に伝送する。ＬＣＤ部２４は、伝送されたパラレル信号に基づき画像を表示する。
すなわち、ＬＣＤ部２４は、ドライバ部２４１、メモリ部２４２、ＬＣＤ２４３を備え、ドライバ部２４１が、データバス１００−２を通じて伝送されたパラレル信号を受信してメモリ部２４２に記憶するとともに、該メモリ部２４２に記憶されたパラレル信号に基づいて、ＬＣＤ２４３に画像を表示する。
【０００４】
なお、下記の特許文献１に、ドットクロック信号に基づいて液晶表示コントローラが出力する表示画像データを、上記ドットクロック信号と高速デジタル送信コントローラからの伝送クロック信号の周波数差を吸収する緩衝手段を介して高速デジタル伝送データに変換する、表示画像データ伝送方式について記載されている。
【特許文献１】特開平１０−３１９９１９号公報
【発明の開示】
【発明が解決しようとする課題】
【０００５】
図１８を参照して前述した従来の高速シリアル通信を用いた表示データの表示装置では、伝送品質が悪い場合、表示データの誤り、欠落により、画面のちらつき、表示不良が発生してしまう。
従来、高速シリアル通信を用いた表示データの表示装置において、伝送品質不良に伴って発生する画面表示不良を自動的にチェックする手法がなかったため、該表示装置の製造時の伝送品質は、人的作業（目視による確認）によってしか検証することができなかった。しかし、上記伝送品質の悪化により発生した画面のちらつきを目視によって確認することによって伝送品質が悪化したかをチェックする方法を採ったのでは、見落としが発生し、また、チェック結果にばらつきが生じる。
本発明は上記問題点を解決するためになされたものであって、高速シリアル通信伝送路を介して送信された表示データを表示する表示装置における伝送品質を自動的にチェックする伝送品質検証装置の提供を目的とする。
【課題を解決するための手段】
【０００６】
上記課題を解決するため、本発明は、次のようにして前記課題を解決する。
（１）生成されたパラレル信号である表示データを、シリアル信号に変換する第１の変換部と、該変換されて高速シリアル通信伝送路を介して伝送されたシリアル信号をパラレル信号に変換する第２の変換部と、第２の変換部で変換されたパラレル信号に基づき画像を表示する表示部とを備えた表示装置における、伝送品質を検証する装置を設ける。上記伝送品質を検証する装置が、上記高速シリアル通信伝送路を介して、表示データと、伝送品質を検証するためのテストデータとを送信するデータ送信手段と、上記送信された表示データを受信して上記表示部に表示し、上記送信されたテストデータを受信して記憶手段に記憶するとともに、所定のタイミングで、上記テストデータと予め決められた規定パターンとの比較処理のトリガを出力するドライバ手段と、上記ドライバ手段が出力したトリガを受けて、上記記憶手段からテストデータを読み出して、該読み出されたテストデータと上記予め決められた規定パターンとを比較し、該比較結果に基づいて、上記伝送品質を検証するテスト機能手段と、上記伝送品質の検証結果を出力する出力手段とを備える。
（２）生成されたパラレル信号である表示データを、シリアル信号に変換する第１の変換部と、該変換されて高速シリアル通信伝送路を介して伝送されたシリアル信号をパラレル信号に変換する第２の変換部と、第２の変換部で変換されたパラレル信号に基づき画像を表示する表示部とを備えた表示装置における、伝送品質を検証する装置を設ける。上記伝送品質を検証する装置が、上記高速シリアル通信伝送路を介して、表示データと、伝送品質を検証するためのテストデータを送信するデータ送信手段と、上記送信された表示データを受信して上記表示部に表示するドライバ手段と、上記送信されたテストデータを受信して記憶するとともに、所定のタイミングで、上記テストデータと予め決められた規定パターンとを比較し、該比較結果に基づいて、上記伝送品質を検証するテスト機能手段と、上記伝送品質の検証結果を出力する出力手段とを備える。
（３）上記データ送信手段が、上記表示データが上記表示部によって画像として表示されない期間である非表示期間に、上記テストデータを送信する。
（４）上記高速シリアル通信伝送路が、双方向の通信伝送路である。また、上記データ送信手段が、更に、上記高速シリアル通信伝送路を介して、上記非表示期間に、上記テスト機能手段に上記伝送品質の検証を開始させるためのテスト開始コマンド、上記テスト機能手段に上記伝送品質の検証を終了させるためのテスト終了コマンド、上記テスト機能手段に上記伝送品質の検証結果の送信を要求する検証結果送信要求コマンドを上記テスト機能手段に対して送信する。また、上記テスト機能手段が、更に、上記データ送信手段から送信されたテスト開始コマンドに従って、上記伝送品質の検証を開始し、上記送信されたテスト終了コマンドに従って、上記伝送品質の検証を終了し、上記送信された検証結果送信要求コマンドに従って、上記伝送品質の検証が開始されてから終了されるまでの間の伝送品質の検証結果を上記高速シリアル通信伝送路を介して上記データ送信手段に送信する。（５）上記データ送信手段が、更に、上記高速シリアル通信伝送路を介して、上記非表示期間に、上記テスト機能手段に上記伝送品質の検証を開始させるためのテスト開始コマンド、上記テスト機能手段に上記伝送品質の検証を終了させるためのテスト終了コマンドを上記テスト機能手段に対して送信する。また、上記テスト機能手段が、更に、上記データ送信手段から送信されたテスト開始コマンドに従って、上記伝送品質の検証を開始し、上記送信されたテスト終了コマンドに従って、上記伝送品質の検証を終了し、該伝送品質の検証を終了した時に、該伝送品質の検証の終了を上記ドライバ手段に通知して、上記伝送品質の検証が開始されてから終了されるまでの間の伝送品質の検証結果を上記表示部に表示させる。
【発明の効果】
【０００７】
本発明によれば、以下の効果を奏することができる。
（１）本発明の伝送品質検証装置は、高速シリアル通信伝送路を介して送信された表示データに基づいて画像を表示する表示装置における、伝送品質を検証する装置である。該伝送品質検証装置が備えるドライバ手段が、高速シリアル通信伝送路を介して送信されたテストデータを受信して記憶手段に記憶するとともに、所定のタイミングで、上記テストデータと予め決められた規定パターンとの比較処理のトリガを出力する。また、該伝送品質検証装置が備えるテスト機能手段が、該トリガを受けて、上記記憶手段からテストデータを読み出して、該読み出されたテストデータと上記予め決められた規定パターンとを比較し、該比較結果に基づいて、上記伝送品質を検証する。従って、本発明によれば、高速シリアル通信伝送路を介して送信された表示データを表示する表示装置における伝送品質を自動的にチェックすることが可能となる。その結果、該表示装置の製品開発や量産試験時、製品出荷後の動作における伝送品質を自動的にチェックでき、製品品質の安定化を図ることができる。
（２）本発明の伝送品質検証装置が備えるテスト機能手段が、高速シリアル通信伝送路を介して送信されたテストデータを受信して記憶するとともに、所定のタイミングで、上記テストデータと予め決められた規定パターンとを比較し、該比較結果に基づいて、上記伝送品質を検証する。すなわち、該テスト機能手段が直接テストデータを受信し、該テストデータと規定パターンとの比較処理を行う。従って、本発明によれば、上記（１）の伝送品質検証装置に比べて、より簡易な構成で伝送品質を自動的にチェックすることが可能となる。
（３）本発明の伝送品質検証装置は、高速シリアル通信伝送路を介して送信された表示データが画像として表示されない期間である非表示期間に、上記テストデータを送信し、該送信されたテストデータと規定パターンとを比較して、伝送品質を検証する。従って、本発明によれば、伝送品質検証装置のユーザが、画像として表示された表示データを確認しながら、伝送品質の検証結果を得ることが可能となる。
（４）本発明の伝送品質検証装置は、テストデータの送信側から送信された検証結果送信要求コマンドに従って、伝送品質の検証結果を高速シリアル通信伝送路を介して該送信側に送信する。従って、本発明によれば、テストデータの送信側が、伝送品質の検証結果を上記高速シリアル通信伝送路を介して取得することが可能となる。
（５）本発明の伝送品質検証装置は、伝送品質の検証が開始されてから終了されるまでの間の伝送品質の検証結果を表示手段に表示する。従って、本発明によれば、例えば、伝送品質検証装置のユーザが、伝送品質の検証結果を画面上で確認することが可能となる。
【発明を実施するための最良の形態】
【０００８】
図１は、本発明のシステム構成の一例を示す図である。
本発明の伝送品質検証装置は、表示データ生成部１１、高速シリアル通信変換部１２、１３、ＬＣＤ部１４を備える。該伝送品質検証装置は、上記高速シリアル通信変換部１２、１３、ＬＣＤ部１４とを備えた表示装置（例えば、携帯端末）における、伝送品質を検証する装置である。
表示データ生成部１１は、パラレル信号である表示データを生成してデータバス２００−１に送出する。また、表示データ生成部１１は、パラレル信号である水平同期信号（ＨＳＹＮＣ）及び垂直同期信号（ＶＳＹＮＣ）を生成してデータバス２００−１に送出する。更に、表示データ生成部１１は、伝送品質を検証するためのテストデータを生成するテスト機能部１１１を備え、テスト機能部１１１によって生成されたテストデータをパラレル信号としてデータバス２００−１に送出する。該表示データ生成部１１は、例えば携帯端末の本体側（Ｈｏｓｔ側）に設けられる。
【０００９】
図１中に示すように、表示データ生成部１１から送出されたデータ（テストデータ、表示データ、ＨＳＹＮＣ、ＶＳＹＮＣ）は、クロック信号（ＣＬＫ）とともに、データバス２００−１を通じて高速シリアル通信変換部１２に伝送される。
高速シリアル通信変換部１２は、表示データ生成部１１から伝送されたパラレル信号のテストデータをシリアル信号に変換し、該変換されたシリアル信号を高速シリアル通信伝送路２０１を通じて高速シリアル通信変換部１３に伝送（シリアル通信）する。高速シリアル通信変換部１３は、高速シリアル通信変換部１２から伝送されたシリアル信号をパラレル信号に変換し、該変換されたパラレル信号のテストデータをデータバス２００−２を通じてＬＣＤ部１４に伝送する。表示データ生成部１１から送出されたパラレル信号の表示データ、ＨＳＹＮＣ、ＶＳＹＮＣも、テストデータと同様に、高速シリアル通信変換部１２によってシリアル信号に変換され、高速シリアル通信変換部１３によってパラレル信号に変換されて、ＬＣＤ部１４に伝送される。
【００１０】
ＬＣＤ部１４は、伝送されたテストデータと予め決められた規定パターンとを比較し、該比較結果に基づいて、上記表示装置における伝送品質を検証する。
なお、上述した伝送品質検証装置及びその各部の機能は、ＣＰＵとその上で実行されるプログラムにより実現される。当該本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【００１１】
図２は、表示データの画面表示処理を説明する図である。
ＬＣＤ部１４は、該ＬＣＤ部１４が備えるＬＣＤ１４５（図５を参照）の実表示部分（１画面）において、左から右への水平方向の走査（１ラインの走査）を実表示部分の上から下まで順次実行することで、表示データ生成部２１から送信された表示データを、１画面上に画像として表示する。該実表示部分において１ラインが走査されたタイミングに対応する同期信号がＨＳＹＮＣであり、該実表示部分における一番下までの走査が終了して画面（フレーム）が切り替わるタイミングに対応する同期信号がＶＳＹＮＣである。なお、図２中に示す非表示領域は、走査されない領域であり、該非表示領域に対応する、表示データが画像として表示されない期間が、非表示期間（例えば、バックポーチ、フロントポーチ）である。
【００１２】
図３は、表示データ生成部から送出されるテストデータ、ＨＳＹＮＣ、ＶＳＹＮＣの送信タイミングを説明する図である。
図３（Ａ）は、表示データ生成部１１からのＶＳＹＮＣの送信タイミングを示し、図３（Ｂ）は、表示データ生成部１１からのＨＳＹＮＣの送信タイミングを示す。図３（Ｃ）に示すＤｏｔ  ＣＬＫはドットクロック信号である。また、図３（Ｄ）に示す表示Bus data 0(for Test CLK)は、テストデータに対応するクロック信号（テストクロック）、図３（Ｅ）に示す表示Bus data 1(for Test CLK)、表示Bus data 2(for Test CLK)、・・・、表示Bus data n(for Test CLK)は、テストデータである。
図３（Ｅ）中のデータ１ａ〜ｎａ、１ｂ〜ｎｂ、１ｃ〜ｎｃ、１ｄ〜ｎｄ、・・・、１ｘ〜ｎｘ、１ｙ〜ｎｙのそれぞれが、図３（Ｄ）中に示す各々のテストクロックに対応するテストデータである。
【００１３】
図４は、高速シリアル伝送路を介してＬＣＤ部に伝送されるデータを示す図である。
図４に示すように、非表示期間にはＶＳＹＮＣ及びＨＳＹＮＣが伝送され、表示データは伝送されない。ＬＣＤ部１４が備えるＬＣＤ１４５（図５を参照）の実表示部分に画像が表示される期間である実表示期間には、画面のライン数分の表示データが伝送される。
【００１４】
図５は、本発明の第１の実施の形態におけるＬＣＤ部の構成例を示す図である。
本発明の第１の実施の形態における伝送品質検証装置が備えるＬＣＤ部１４は、ドライバ部１４１、メモリ部１４２、テスト機能部１４３、出力部１４４、ＬＣＤ１４５を備える。
ドライバ部１４１は、データバス２００−２を通じて伝送されたテストデータ及びクロック信号を受信して、テストデータをメモリ部１４２に記憶する。また、ドライバ部１４１は、所定のタイミングで、上記テストデータと、ＬＣＤ１４１内の図示を省略する記憶手段に記憶されている予め決められた規定パターンとの比較処理のトリガを出力する。上記所定のタイミングは、例えば、表示データ生成部１１によって生成されて高速シリアル通信変換部１２及び高速シリアル通信変換部１３を通じてＬＣＤ部１４に伝送されたＨＳＹＮＣ又はＶＳＹＮＣをドライバ部１４１が受信したタイミングである。なお、上記規定パターンとしては、例えば、一般的なパターンデータである”ＰＮ９”などを用いる。
また、ドライバ部１４１は、データバス２００−２を通じて伝送された表示データを受信し、該表示データをＬＣＤ１４５に画像として表示させる。
【００１５】
メモリ部１４２には、テストデータが記憶される。テスト機能部１４３は、ドライバ部１４３が出力したトリガを受けて、メモリ部１４２からテストデータを読み出して、該読み出されたテストデータとＬＣＤ部１４内の記憶手段に記憶（格納）されている規定パターンとを比較し、該比較結果に基づいて、伝送品質を検証する。例えば、テストデータと規定パターンとが整合する場合、テスト機能部１４３は、伝送品質が悪化していないことを示す検証結果を出力する。また、例えば、テストデータと規定パターンとが整合しない場合、テスト機能部１４３は、伝送品質が悪化したことを示す検証結果を出力する。
出力部１４４は、テスト機能部１４３による伝送品質の検証結果を、例えば専用の出力端子を介して外部装置（図示を省略）に出力（表示）する。出力部１４４は、例えば、伝送品質が悪化していないことを示す検証結果、伝送品質が悪化したことを示す検証結果について、それぞれ、”ＯＫ”、”ＮＧ”を表示する。
ＬＣＤ１４５は、ドライバ部１４１の制御に従って、表示データを画像として表示する。
【００１６】
図６は、本発明の第１の実施の形態における伝送品質の検証処理の例を説明するシーケンス図である。
本発明の第１の実施の形態においては、ドライバ部１４１が、例えば、実表示期間に表示データ生成部１１から送信されたテストデータをメモリ部１４２に記憶し、ＨＳＹＮＣを受信したタイミングで、テストデータと規定パターンとの比較処理のトリガを出力する。
まず、表示データ生成部１１が、ＬＣＤ部１４が備えるドライバ部１４１に対してテストデータを送信する（図６の＃１）。ドライバ部１４１は、テストデータをメモリ部１４２に記憶する（図６の＃２）。ドライバ部１４１は、ＨＳＹＮＣを受信すると（図６の＃３）、テストデータと規定パターンとの比較処理のトリガを出力する（図６の＃４）。テスト機能部１４３は、ドライバ部１４１が出力したトリガを受けて、メモリ部１４２からテストデータをリードする（図６の＃５）。そして、テスト機能部１４３は、テストデータと規定データとを比較し（図６の＃６）、該比較結果に基づいて、伝送品質を検証する（図６の＃７）。テスト機能部１４３は、伝送品質の検証結果を出力部１４４に送信する（図６の＃８）。そして、出力部１４４が、該伝送品質の検証結果に応じて、”ＯＫ”又は”ＮＧ”を出力する（図６の＃９）。
【００１７】
図７は、本発明の第１の実施の形態における伝送品質の検証処理のタイミングチャート例である。
図７（Ａ）は、テストデータと規定パターンとの比較処理のトリガの出力タイミング例を示す。ドライバ部１４１は、図７（Ａ）に示すように、各々のＨＳＹＮＣ（例えば、ＨＳＹＮＣ１、ＨＳＹＮＣ２、・・・、ＨＳＹＮＣｎ）を受信したタイミングで、テストデータと規定パターンとの比較処理のトリガを出力する。ここで、実表示期間において、表示データ生成部１１からドライバ部１４１に対して、テストデータ及びテストクロックを含むデータ（Ｔｅｓｔ  Ｄａｔａ１、Ｔｅｓｔ  Ｄａｔａ２、・・・、Ｔｅｓｔ  Ｄａｔａｎ）が伝送される。ドライバ部１４１は、該テストデータ及びテストクロックを含むデータをメモリ部１４２に記憶する。
図７（Ｂ）は、図７（Ａ）中に示すＴｅｓｔ  Ｄａｔａ１の構成例を示す。該Ｔｅｓｔ  Ｄａｔａ１は、テストクロック（Ｔｅｓｔ  ＣＬＫ）と、各々のテストクロックに対応する、網かけ部分に示すテストデータとから構成される。
【００１８】
図７（Ａ）に戻って、ドライバ部１４１は、例えば、実表示期間中に表示データ生成部１１から伝送されたＨＳＹＮＣ１を受信すると、トリガを出力し、該トリガを受けたテスト機能部１４３が、Ｔｅｓｔ  Ｄａｔａ１をメモリ部１４２からリードするとともに、図７（Ｃ）に示すように、該Ｔｅｓｔ  Ｄａｔａ１からテストデータのみを抽出し、抽出されたテストデータと規定パターンとの比較処理を行う。以下、同様に、ドライバ部１４１がＨＳＹＮＣ２、・・・、ＨＳＹＮＣｎのそれぞれを受信する毎にトリガを出力し、該トリガの出力を受けたテスト機能部１４３によって、テストデータと規定パターンとの比較処理が行われる。
【００１９】
図８は、本発明の第２の実施の形態におけるＬＣＤ部の構成例を示す図である。
本発明の第２の実施の形態では、図１を参照して説明した伝送品質検証装置が、ＬＣＤ部１４に替えて、ＬＣＤ部１５を備える。ＬＣＤ部１５は、ドライバ部１５１、メモリ部１５２、テスト機能部１５３、出力部１５４、ＬＣＤ１５５を備える。
ドライバ部１５１は、データバス２００−２を通じて伝送されたテストデータ及びクロック信号を受信して、テストデータをメモリ部１５２に記憶する。また、ドライバ部１５１は、データバス２００−２を通じて伝送された表示データを受信して、該受信された表示データをＬＣＤ１５５に画像として表示させる。
【００２０】
テスト機能部１５３は、ドライバ部１５１によるテストデータ及びクロック信号の受信と並列的に、高速シリアル通信変換部１３から、データバス２００−２を通じて、直接、テストデータとクロック信号とを受信する。テスト機能部１５３は、受信したテストデータをテスト機能部１５３内の所定のバッファに記憶する。また、テスト機能部１４３は、データバス２００−２を通じてＨＳＹＮＣを受信したタイミングで、該所定のバッファからテストデータを読み出して、該読み出されたテストデータとＬＣＤ部１５内の記憶手段に記憶（格納）されている規定パターンとを比較し、該比較結果に基づいて、伝送品質を検証する。テスト機能部１５３は、データバス２００−２を通じてＶＳＹＮＣを受信したタイミングで、テストデータと規定パターンとを比較するようにしてもよい。
出力部１５４は、テスト機能部１５３による伝送品質の検証結果を、例えば専用の出力端子を介して外部装置（図示を省略）に出力（表示）する。
ＬＣＤ１５５は、ドライバ部１５１の制御に従って、表示データを画像として表示する。
【００２１】
図９は、本発明の第２の実施の形態における伝送品質の検証処理を説明するシーケンス図である。
まず、表示データ生成部１１が、ＬＣＤ部１５が備えるドライバ部１４１に対してテストデータを送信するとともに（図９の＃１）、該テストデータをテスト機能部１５３に対して送信する（図９の＃２）。
テスト機能部１５３は、ＨＳＹＮＣを受信すると（図９の＃３）、テストデータと規定データとを比較し（図９の＃４）、該比較結果に基づいて、伝送品質を検証する（図９の＃５）。テスト機能部１５３は、伝送品質の検証結果を出力部１５４に送信する（図９の＃６）。そして、出力部１５４が、該伝送品質の検証結果に応じて、”ＯＫ”又は”ＮＧ”を出力する（図９の＃７）。
【００２２】
図１０は、本発明の第３の実施の形態におけるＬＣＤ部の構成例を示す図である。
本発明の第３の実施の形態では、図１を参照して説明した伝送品質検証装置が、ＬＣＤ部１４に替えて、ＬＣＤ部１６を備える。ＬＣＤ部１６は、ドライバ部１６１、メモリ部１６２、テスト機能部１６３、出力部１６４、ＬＣＤ１６５を備える。また、本発明の第３の実施の形態では、図１に示す表示データ生成部１１が、表示データがＬＣＤ１６５で画像として表示されない期間である非表示期間にテストデータを送信する。
ドライバ部１６１は、データバス２００−２を通じて伝送されたテストデータ及びクロック信号を受信して、テストデータをメモリ部１６２に記憶する。また、ドライバ部１６１は、データバス２００−２を通じて伝送された表示データを受信して、該受信された表示データをＬＣＤ１６５に画像として表示させる。
【００２３】
テスト機能部１５３は、ドライバ部１６１によるテストデータ及びクロック信号の受信と並列的に、高速シリアル通信変換部１３から、データバス２００−２を通じて、直接、テストデータとクロック信号とを受信する。該受信されるテストデータは、前述したように、表示データの非表示期間に図１に示す表示データ生成部１１から送信されるテストデータである。
テスト機能部１６３は、受信したテストデータをテスト機能部１６３内の所定のバッファに記憶する。また、テスト機能部１６３は、データバス２００−２を通じてＨＳＹＮＣを受信したタイミングで、該所定のバッファからテストデータを読み出して、該読み出されたテストデータとＬＣＤ部１６内の記憶手段に記憶（格納）されている規定パターンとを比較し、該比較結果に基づいて、伝送品質を検証する。テスト機能部１６３は、データバス２００−２を通じてＶＳＹＮＣを受信したタイミングで、テストデータと規定パターンとを比較するようにしてもよい。
【００２４】
出力部１６４は、テスト機能部１６３による伝送品質の検証結果を、例えば専用の出力端子を介して外部装置（図示を省略）に出力（表示）する。
ＬＣＤ１６５は、ドライバ部１６１の制御に従って、表示データを画像として表示する。
本発明の一実施形態によれば、ドライバ部１６１が、データバス２００−２を通じてＨＳＹＮＣを受信したタイミングで、テストデータと規定パターンとの比較処理のトリガを出力し、テスト機能部１６３が、該トリガを受けて、上記テストデータと規定パターンとの比較処理を行うようにしてもよい。
【００２５】
図１１は、本発明の第３の実施の形態における伝送品質の検証処理を説明するシーケンス図である。
表示データ生成部１１が、ＬＣＤ部１６が備えるドライバ部１６１に対して表示データを送信する（図１１の＃１）。ドライバ部１６１が、表示データをＬＣＤ１６５に画像として表示させる（図１１の＃２）。次に、テスト機能部１６３が、表示データ生成部１１によって非表示期間に送信されたテストデータを該表示データ生成部１１から受信し（図１１の＃３）、ＨＳＹＮＣを受信すると（図１１の＃４）、テストデータと規定データとを比較する（図１１の＃５）。テスト機能部１６３は、該比較結果に基づいて、伝送品質を検証する（図１１の＃６）。テスト機能部１６３は、伝送品質の検証結果を出力部１６４に送信する（図１１の＃７）。そして、出力部１６４が、該伝送品質の検証結果に応じて、”ＯＫ”又は”ＮＧ”を出力する（図１１の＃８）。
【００２６】
図１２は、本発明の第３の実施の形態における伝送品質の検証処理のタイミングチャート例である。
図１２（Ａ）は、テストデータと規定パターンとの比較処理のトリガのタイミング例を示す。テスト機能部１６３は、図１２（Ａ）に示すように、各々のＨＳＹＮＣ（例えば、ＨＳＹＮＣ１、ＨＳＹＮＣ２、・・・、ＨＳＹＮＣｎ）を受信したタイミングで、該各々のＨＳＹＮＣの受信をトリガとして、テストデータと規定パターンとの比較処理を開始する。ここで、非表示期間において、表示データ生成部１１からテスト機能部１６３に対して、テストデータ及びテストクロックを含むデータ（Ｔｅｓｔ  Ｄａｔａ１、Ｔｅｓｔ  Ｄａｔａ２、・・・、Ｔｅｓｔ  Ｄａｔａｎ）が伝送される。テスト機能部１６３は、該テストデータ及びテストクロックを含むデータを所定のバッファ内に記憶する。
図１２（Ｂ）は、図１２（Ａ）中に示すＴｅｓｔ  Ｄａｔａ１の構成例を示す。該Ｔｅｓｔ  Ｄａｔａ１は、テストクロックと、各々のテストクロックに対応する、網かけ部分に示すテストデータとから構成される。
【００２７】
図１２（Ａ）に戻って、テスト機能部１６３は、例えば、非表示期間中に表示データ生成部１１から伝送されたＨＳＹＮＣ１を受信すると、Ｔｅｓｔ  Ｄａｔａ１を上記所定のバッファからリードするとともに、図１２（Ｃ）に示すように、該Ｔｅｓｔ  Ｄａｔａ１からテストデータのみを抽出し、抽出されたテストデータと規定パターンとの比較処理を行う。以下、同様に、テスト機能部１６３がＨＳＹＮＣ２、・・・、ＨＳＹＮＣｎのそれぞれを受信する毎に、テスト機能部１６３によってテストデータと規定パターンとの比較処理が行われる。
本発明の第３の実施の形態によれば、伝送品質検証装置のユーザが、画像としてＬＣＤ１６５に表示された表示データを確認しながら、伝送品質の検証結果を得ることが可能となる。
【００２８】
図１３は、本発明の第４の実施の形態におけるシステム構成例を示す図である。
本発明の第４の実施の形態における伝送品質検証装置は、表示データ生成部３１、高速シリアル通信変換部３２、３３、ＬＣＤ部３４を備える。該伝送品質検証装置は、上記高速シリアル通信変換部３２、３３、ＬＣＤ部３４とを備えた表示装置（例えば、携帯端末）における、伝送品質を検証する装置である。
表示データ生成部３１、高速シリアル通信変換部３２、３３、ＬＣＤ部３４は、それぞれ、図１を参照して前述した表示データ生成部１１、高速シリアル通信変換部１２、１３、ＬＣＤ部１４が有する機能と同様の機能を有する。更に、表示データ生成部３１と高速シリアル通信変換部３２は、データバス３００−１を通じて互いに双方向通信する機能を備え、高速シリアル通信変換部３２と高速シリアル通信変換部３３は、高速シリアル通信伝送路３０１を通じて互いに双方向通信する機能を備え、高速シリアル通信変換部３３とＬＣＤ部３４は、データバス３００−２を通じて互いに双方向通信する機能を備える。
【００２９】
また、表示データ生成部３１が備えるテスト機能部３１１は、テストデータを生成する他、テスト開始コマンド、テスト終了コマンド、及び、検証結果送信要求コマンドを発行する。テスト開始コマンドは、後述するＬＣＤ部３４のテスト機能部３４３に伝送品質の検証を開始させるためのコマンドである。テスト終了コマンドは、テスト機能部３４３に伝送品質の検証を終了させるためのコマンドである。検証結果送信要求コマンドは、テスト機能部３４３に伝送品質の検証結果の送信を要求するコマンドである。
表示データ生成部３１は、表示データをＬＣＤ部３４に対して送信する。また、表示データ生成部３１は、テスト機能部３１１によって生成されたテストデータ、テスト機能部３１１によって発行されたテスト開始コマンド、テスト終了コマンド、検証結果送信要求コマンドを、非表示期間にＬＣＤ部３４に対して送信する。
【００３０】
ＬＣＤ部３４は、表示データ生成部３１からテスト開始コマンドを受信すると、該テスト開始コマンドに従って、伝送品質の検証処理を開始する。また、ＬＣＤ部３４は、表示データ生成部３１からテスト終了コマンドを受信すると、該テスト終了コマンドに従って、伝送品質の検証処理を終了する。また、ＬＣＤ部３４は、表示データ生成部３１から検証結果送信要求コマンドを受信すると、該検証結果送信要求コマンドに従って、伝送品質の検証を開始してから終了するまでの間の伝送品質の検証結果を表示データ生成部３１に対して送信する。
【００３１】
ＬＣＤ部３４は、ドライバ部３４１、メモリ部３４２、テスト機能部３４３、レジスタ３４４、出力部３４５、ＬＣＤ３４６を備える。
ドライバ部３４１は、表示データ生成部３１から伝送されたテストデータ及びクロック信号を受信し、該テストデータをメモリ部３４２に記憶する。また、ドライバ部３４１は、表示データ生成部３１から伝送された表示データを受信し、該表示データをＬＣＤ３４６に画像として表示させる。
【００３２】
テスト機能部３４３は、例えば、ドライバ部３４１によるテストデータ及びクロック信号の受信と並列的に、高速シリアル通信変換部３３から、データバス３００−２を通じて、直接、テストデータとクロック信号とを受信する。テスト機能部３４３は、受信したテストデータをテスト機能部３４３内の所定のバッファに記憶する。また、テスト機能部３４３は、表示データ生成部３１から送信されたテスト開始コマンドを受信すると、該所定のバッファからテストデータを読み出して、該読み出されたテストデータとＬＣＤ部３４内の記憶手段に記憶（格納）されている規定パターンとを比較し、該比較結果に基づいて、伝送品質を検証する。また、テスト機能部３４３は、伝送品質の検証結果をレジスタ３４４に記憶する。
【００３３】
また、テスト機能部３４３は、表示データ生成部３１から送信された検証結果送信要求コマンドを受信すると、伝送品質の検証を開始してから終了するまでの間の伝送品質の検証結果を上記レジスタ３４４から読み出して、該読み出された伝送品質の検証結果を表示データ生成部３１に対して送信する。すなわち、テスト機能部３４３は、該伝送品質の検証結果を、データバス３００−２、高速シリアル通信変換部３３、高速シリアル通信伝送路３０１、高速シリアル通信変換部３２、データバス３００−１を通じて、表示データ生成部３１に送信する。
出力部３４５は、テスト機能部３４３による伝送品質の検証結果を、例えば専用の出力端子を介して外部装置（図示を省略）に出力（表示）する。
ＬＣＤ３４６は、ドライバ部３４１の制御に従って、表示データを画像として表示する。
【００３４】
図１４は、本発明の第４の実施の形態における伝送品質の検証処理を説明するシーケンス図である。
表示データ生成部３１が、ＬＣＤ部３４が備えるドライバ部３４１に対して表示データを送信する（図１４の＃１）。ドライバ部３４１が、表示データをＬＣＤ３４６に画像として表示させる（図１４の＃２）。テスト機能部３４３は、表示データ生成部３１によって非表示期間中に送信されたテストデータを受信する（図１４の＃３）。次に、テスト機能部３４３が、ＨＳＹＮＣを受信し（図１４の＃４）、表示データ生成部３１によって非表示期間に送信されたテスト開始コマンドを受信すると（図１４の＃５）、伝送品質の検証処理を開始して（図１４の＃６）、テストデータと規定データとを比較する（図１４の＃７）。テスト機能部３４３は、該比較結果に基づいて、伝送品質を検証し（図１４の＃８）、該伝送品質の検証結果をレジスタ３４４に記憶する。テスト機能部３４３は、伝送品質の検証結果を、該伝送品質の検証を行う度に、出力部３４５に送信し（図１４の＃９）、出力部３４５が、該伝送品質の検証結果に応じて、”ＯＫ”又は”ＮＧ”を出力する（図１４の＃１０）。
【００３５】
テスト機能部３４３が、表示データ生成部３１から送信されたテスト終了コマンドを受信すると（図１４の＃１１）、テスト機能部３４３は、伝送品質の検証処理を終了する（図１４の＃１２）。テスト機能部３４３が、表示データ生成部３１から非表示期間に送信された検証結果送信要求コマンドを受信すると（図１４の＃１３）、テスト機能部３４３は、テスト開始コマンドを受信してからテスト終了コマンドを受信するまでの間に実行された伝送品質の検証結果をレジスタ３４４から読み出して、該読み出された伝送品質の検証結果を表示データ生成部３１に対して送信する（図１４の＃１４）。
なお、テスト機能部３４３は、表示データ生成部３１から検証結果送信要求コマンドを受信すると、上記レジスタ３４４から読み出した伝送品質の検証結果を出力部３４５に送信するようにしてもよい。そして、出力部３４５が、該伝送品質の検証結果を総合的な伝送品質の検証結果として出力するようにしてもよい。
【００３６】
図１５は、本発明の第４の実施の形態における伝送品質の検証処理のタイミングチャート例である。
図１５（Ａ）は、テストデータと規定パターンとの比較処理のトリガのタイミング例を示す。テスト機能部３４３は、図１５（Ａ）に示すように、各々のＨＳＹＮＣ（例えば、ＨＳＹＮＣ１、ＨＳＹＮＣ２、・・・、ＨＳＹＮＣｎ）を受信したタイミングで、該各々のＨＳＹＮＣの受信をトリガとして、テストデータと規定パターンとの比較処理を開始する。ここで、非表示期間において、表示データ生成部３１からテスト機能部３４３に対して、テストデータ及びテストクロックを含むデータ（Ｔｅｓｔ  Ｄａｔａ１、Ｔｅｓｔ  Ｄａｔａ２、・・・、Ｔｅｓｔ  Ｄａｔａｎ）が伝送される。Ｔｅｓｔ  Ｄａｔａ１は、テストデータ及びテストクロックの他に、テスト開始コマンドを含む。テスト機能部３４３は、該テストデータ及びテストクロックを含むデータを所定のバッファ内に記憶する。  図１５（Ｂ）は、図１５（Ａ）中に示すＴｅｓｔ  Ｄａｔａ１の構成例を示している。該Ｔｅｓｔ  Ｄａｔａ１は、テストクロックと、テストクロックに対応するテスト開始コマンドとテストデータとから構成される。
【００３７】
図１５（Ａ）に戻って、テスト機能部３４３は、非表示期間中に図１５（Ａ）中に示すＴｅｓｔ  Ｄａｔａ１を受信して、該Ｔｅｓｔ  Ｄａｔａ１に含まれるテスト開始コマンドを解析し、テストデータと規定パターンとの比較処理を開始すべきことを認識する。テスト機能部３４３は、図１５（Ａ）に示すＨＳＹＮＣ１を受信すると、図１５（Ｃ）に示すように、上記所定のバッファ内のＴｅｓｔ  Ｄａｔａ１からテストデータのみを抽出し、該抽出されたテストデータと規定パターンとの比較処理を行う。テスト機能部１５３は、表示データ生成部３１からテスト終了コマンドが伝送されるまでの間、テストデータと規定パターンとを比較して、伝送品質を検証し、該伝送品質の検証結果をレジスタ３４４に記憶する。図１５（Ｄ）に示すように、表示データ生成部３１から検証結果送信要求コマンドを含むデータが伝送されると、テスト機能部３４３は、図１３中に示すデータバス３００−２の通信方向を切り替えた上で、図１５（Ｅ）中に示すように、レジスタ３４４に記憶されている伝送品質の検証結果を読み出して、表示データ生成部３１に対して送信する。
【００３８】
図１６は、本発明の第５の実施の形態におけるＬＣＤ部の構成例を示す図である。
本発明の第５の実施の形態では、図１を参照して説明した伝送品質検証装置が、ＬＣＤ部１４に替えて、ＬＣＤ部１７を備える。また、本発明の第５の実施の形態では、図１に示す表示データ生成部１１が備えるテスト機能部１１１が、テストデータを生成する他、テスト開始コマンド及びテスト終了コマンドを発行する。表示データ生成部１１は、非表示期間に、テストデータ、テスト開始コマンド、テスト終了コマンドをＬＣＤ部１７のテスト機能部１７３（図１６を参照）に対して送信する。該テスト開始コマンドは、ＬＣＤ部１７のテスト機能部１７３に伝送品質の検証を開始させるためのコマンドである。テスト終了コマンドは、テスト機能部１７３に伝送品質の検証を終了させるためのコマンドである。
【００３９】
図１６に示すように、ＬＣＤ部１７は、ドライバ部１７１、メモリ部１７２、テスト機能部１７３、レジスタ１７４、出力部１７５、ＬＣＤ１７６を備える。ドライバ部１７１は、データバス２００−２を通じて伝送されたテストデータ及びクロック信号を受信する。また、ドライバ部１７１は、データバス２００−２を通じて伝送された表示データを受信して、該受信された表示データをＬＣＤ１７６に画像として表示させる。また、ドライバ部１７１は、テスト機能部１７３から送信された後述する制御信号に従って、メモリ部１７２に記憶されている伝送品質の検証結果をＬＣＤ１７６に表示させる。
テスト機能部１７３は、ドライバ部１７１によるテストデータ及びクロック信号の受信と並列的に、図１に示す高速シリアル通信変換部１３から、データバス２００−２を通じて、直接、テストデータとクロック信号とを受信する。
【００４０】
テスト機能部１７３は、受信したテストデータをテスト機能部１７３内の所定のバッファに記憶する。また、テスト機能部１７３は、表示データ生成部１１からテスト開始コマンドを受信すると、該所定のバッファからテストデータを読み出して、該読み出されたテストデータとＬＣＤ部１７内の記憶手段に記憶（格納）されている規定パターンとを比較し、該比較結果に基づいて、伝送品質を検証する。テスト機能部１７３は、表示データ生成部１１から送信されたテスト終了コマンドを受信すると、伝送品質の検証処理を終了し、上記伝送品質の検証を開始してから終了するまでの間の該伝送品質の検証結果をレジスタ１７４に記憶する。また、テスト機能部１７３は、レジスタ１７４に記憶された伝送品質の検証結果をメモリ部１７２に記憶して、該メモリ部１７２に記憶された伝送品質の検証結果の表示を指示する制御信号をドライバ部１７１に対して送信して、該伝送品質の検証結果をＬＣＤ１７６に表示させる。
出力部１７５は、テスト機能部１７３による伝送品質の検証結果を、例えば専用の出力端子を介して外部装置（図示を省略）に出力（表示）する。
ＬＣＤ１７６は、ドライバ部１７１の制御に従って、表示データを画像として表示する。また、ＬＣＤ１７６は、ドライバ部１７１の制御に従って、伝送品質の検証結果を表示する。
【００４１】
図１７は、本発明の第５の実施の形態における伝送品質の検証処理を説明するシーケンス図である。
表示データ生成部１１が、ＬＣＤ部１７が備えるテスト機能部１７３に対してテスト開始コマンドを送信し、テスト機能部１７３が該テスト開始コマンドを受信すると（図１７の＃１）、テスト機能部１７３が、伝送品質の検証処理を開始する（図１７の＃２）。すなわち、テスト機能部１７３は、表示データ生成部１１によって送信されたテストデータを受信し（図１７の＃３）、該テストデータと規定データとを比較する（図１７の＃４）。テスト機能部１７３は、該比較結果に基づいて、伝送品質を検証し（図１７の＃５）、該伝送品質の検証結果をレジスタ１７４に記憶する。テスト機能部３４３は、伝送品質の検証結果を、該伝送品質の検証を行う度に、出力部１７５に送信し（図１７の＃６）、出力部１７６が、該伝送品質の検証結果に応じて、”ＯＫ”又は”ＮＧ”を出力する（図１７の＃７）。
【００４２】
テスト機能部１７３が、表示データ生成部１１から送信されたテスト終了コマンドを受信すると（図１７の＃８）、テスト機能部１７３は、伝送品質の検証処理を終了し（図１７の＃９）、レジスタ１７４に記憶されている伝送品質の検証結果（テスト開始コマンドに従って伝送品質の検証処理を開始してからテスト終了コマンドに従って伝送品質の検証処理を終了するまでの間の伝送品質の検証処理の結果）を出力部１７６に送信する（図１７の＃１０）。出力部１７６は、該伝送品質の検証結果を出力（表示）する。また、テスト機能部１７３は、レジスタ１７４に記憶されている伝送品質の検証結果をメモリ部１７２に記憶して（図１７の＃１２）、ドライバ部１７１に対して制御信号を送信する（図１７の＃１３）。
ドライバ部１７１は、テスト機能部１７３から送信された制御信号に従って、メモリ部１２に記憶されている伝送品質の検証結果をＬＣＤ１７６に表示する（図１７の＃１４）。例えば、ＬＣＤ１７６に、伝送品質の検証結果に応じて、”ＯＫ”又は”ＮＧ”が表示される。
【産業上の利用可能性】
【００４３】
以上、説明したように、本発明によれば、高速シリアル通信伝送路を介して送信された表示データを表示する表示装置における伝送品質を自動的にチェックすることが可能となる。また、本発明によれば、伝送品質検証装置のユーザが、画像として表示された表示データを確認しながら、伝送品質の検証結果を得ることが可能となる。また、本発明によれば、テストデータの送信側が、伝送品質の検証結果を上記高速シリアル通信伝送路を介して取得することが可能となる。また、本発明によれば、例えば、伝送品質の検証結果を画面上で確認することが可能となる。
【図面の簡単な説明】
【００４４】
【図１】本発明のシステム構成の一例を示す図である。
【図２】表示データの画面表示処理を説明する図である。
【図３】表示データ生成部から送出されるテストデータ、ＨＳＹＮＣ、ＶＳＹＮＣの送信タイミングを説明する図である。
【図４】高速シリアル伝送路を介してＬＣＤ部に伝送されるデータを示す図である。
【図５】本発明の第１の実施の形態におけるＬＣＤ部の構成例を示す図である。
【図６】本発明の第１の実施の形態における伝送品質の検証処理の例を説明するシーケンス図である。
【図７】本発明の第１の実施の形態における伝送品質の検証処理のタイミングチャート例である。
【図８】本発明の第２の実施の形態におけるＬＣＤ部の構成例を示す図である。
【図９】本発明の第２の実施の形態における伝送品質の検証処理を説明するシーケンス図である。
【図１０】本発明の第３の実施の形態におけるＬＣＤ部の構成例を示す図である。
【図１１】本発明の第３の実施の形態における伝送品質の検証処理を説明するシーケンス図である。
【図１２】本発明の第３の実施の形態における伝送品質の検証処理のタイミングチャート例である。
【図１３】本発明の第４の実施の形態におけるシステム構成例を示す図である。
【図１４】本発明の第４の実施の形態における伝送品質の検証処理を説明するシーケンス図である。
【図１５】本発明の第４の実施の形態における伝送品質の検証処理のタイミングチャート例である。
【図１６】本発明の第５の実施の形態におけるＬＣＤ部の構成例を示す図である。
【図１７】本発明の第５の実施の形態における伝送品質の検証処理を説明するシーケンス図である。
【図１８】従来の高速シリアル通信を用いた表示データの表示装置を示す図である。
【符号の説明】
【００４５】
１１  表示データ生成部
１２、１３、２２、２３、３２、３３  高速シリアル通信変換部
１４、１５、１６、１７、２４、３４  ＬＣＤ部
２１、３１  表示データ生成部
１０１、２０１、３０１  高速シリアル通信伝送路
１００−１、１００−２、２００−１、２００−２、３００−１、３００−２  データバス
１１１、１４３、１５３、１６３、１７３、３１１、３４３  テスト機能部
１４１、１５１、１６１、１７１、１７２、２４１、３４１  ドライバ部
１４２、１５２、１６２、１７２、２４２、３４２  メモリ部
１４４、１５４、１６４、１７５、３４５  出力部
１４５、１５５、１６５、１７６、２４３、３４６  ＬＣＤ
１７４、３４４  レジスタ
【図１】
2009017261.tif 000003
【図２】
2009017261.tif 000004
【図３】
2009017261.tif 000005
【図４】
2009017261.tif 000006
【図５】
2009017261.tif 000007
【図６】
2009017261.tif 000008
【図７】
2009017261.tif 000009
【図８】
2009017261.tif 000010
【図９】
2009017261.tif 000011
【図１０】
2009017261.tif 000012
【図１１】
2009017261.tif 000013
【図１２】
2009017261.tif 000014
【図１３】
2009017261.tif 000015
【図１４】
2009017261.tif 000016
【図１５】
2009017261.tif 000017
【図１６】
2009017261.tif 000018
【図１７】
2009017261.tif 000019
【図１８】
2009017261.tif 000020